(57)【要約】【課題】  省エネモードが選択されているときに、バックライトの輝度が下がったことをユーザに感じさせることがなく、また消費電力を十分に低減することができる液晶表示装置を提供する。【解決手段】  テレビジョン受信装置１は、液晶パネル１１に表示されている映像が、視聴しているユーザが明るいと感じる映像から暗いと感じる映像に切り換わり、再度明るいと感じる映像に切り換わるまでの期間に、バックライト１２の輝度を一定量下げる処理を繰り返す。【選択図】  図１
2006235540.tif 000002
【特許請求の範囲】
【請求項１】
液晶パネルを背面から照らすバックライトの輝度を制御する輝度制御手段と、
入力されている映像信号に基づく映像を前記液晶パネルに表示する表示手段と、を備えた液晶表示装置において、
消費電力を低減する省エネモードを選択するかどうかを切り換える切換手段と、
前記表示手段が前記液晶パネルに表示する、入力されている映像信号に基づく映像の輝度をフレーム毎に検出する検出手段と、を備え、
前記輝度制御手段は、前記切換手段が省エネモードを選択している場合に、前記検出手段により予め設定されている映像輝度値よりも低い映像が第１のフレーム数連続して検出されたとき、または前記検出手段が第１の時間内にフレーム毎に検出された映像の輝度の平均値が、予め設定されている映像輝度値よりも低ければ、前記バックライトの輝度をその時点における輝度よりも一定量下げた輝度に制御し、また、前記バックライトの輝度をその時点における輝度よりも一定量下げた輝度に制御した後、前記検出手段により前記映像輝度値よりも高い映像が第２のフレーム数連続して検出されるまで、または前記検出手段により第２の時間内にフレーム毎に検出された映像の輝度の平均値が前記映像輝度値よりも高くなるまで、前記バックライトの輝度を下げるのを禁止し、さらに前記バックライトの輝度が予め定められている下限値に達すると、前記バックライトの輝度をこれ以上下げるのを禁止する液晶表示装置。
【請求項２】
液晶パネルを背面から照らすバックライトの輝度を制御する輝度制御手段と、
入力されている映像信号に基づく映像を前記液晶パネルに表示する表示手段と、を備えた液晶表示装置において、
消費電力を低減する省エネモードを選択するかどうかを切り換える切換手段と、
前記表示手段が前記液晶パネルに表示する、入力されている映像信号に基づく映像の輝度をフレーム毎に検出する検出手段と、を備え、
前記輝度制御手段は、前記切換手段が省エネモードを選択している場合に、前記検出手段により予め設定されている映像輝度値よりも低い映像が第１のフレーム数連続して検出されたとき、前記バックライトの輝度をその時点における輝度よりも一定量下げた輝度に制御する手段である液晶表示装置。
【請求項３】
液晶パネルを背面から照らすバックライトの輝度を制御する輝度制御手段と、
入力されている映像信号に基づく映像を前記液晶パネルに表示する表示手段と、を備えた液晶表示装置において、
消費電力を低減する省エネモードを選択するかどうかを切り換える切換手段と、
前記表示手段が前記液晶パネルに表示する、入力されている映像信号に基づく映像の輝度をフレーム毎に検出する検出手段と、を備え、
前記輝度制御手段は、前記切換手段が省エネモードを選択している場合に、前記検出手段が第１の時間内にフレーム毎に検出された映像の輝度の平均値が、予め設定されている映像輝度値よりも低ければ、前記バックライトの輝度をその時点における輝度よりも一定量下げた輝度に制御する手段である液晶表示装置。
【請求項４】
前記輝度制御手段は、前記バックライトの輝度をその時点における輝度よりも一定量下げた輝度に制御した後、前記検出手段により前記映像輝度値よりも高い映像が第２のフレーム数連続して検出されるまで、または前記検出手段により第２の時間内にフレーム毎に検出された映像の輝度の平均値が前記映像輝度値よりも高くなるまで、前記バックライトの輝度を下げるのを禁止する請求項２、または３に記載の液晶表示装置。
【請求項５】
前記輝度制御手段は、前記バックライトの輝度が予め定められている下限値に達すると、前記バックライトの輝度をこれ以上下げるのを禁止する請求項２〜４のいずれかに記載の液晶表示装置。
【発明の詳細な説明】
【技術分野】
【０００１】
この発明は、入力されている映像信号に基づく映像を表示する液晶表示装置に関し、特に装置本体での消費電力を低減する省エネモードを設けた液晶表示装置に関する。
【背景技術】
【０００２】
従来、テレビやパーソナルコンピュータ等の表示装置に液晶表示装置が利用されている。液晶表示装置は、周知のように、液晶パネルと、この液晶パネルを背面から照らすバックライトとを有し、入力されている映像信号に基づいて液晶パネルの各画素の透過率を制御することで、入力されている映像信号に基づく映像を液晶パネル上に表示する構成である。バックライトは、冷陰極管や白色ＬＥＤ等の光源を用いている。
【０００３】
また、一般的な液晶表示装置には、装置本体の消費電力を低減する省エネモードが設けられている。液晶表示装置では、装置本体の消費電力において、バックライトの消費電力が占める割合が大きい。一般的な液晶表示装置は、バックライトの輝度を下げて、バックライトでの消費電力を低減することで、装置本体での消費電力を低減している。例えば、特許文献１では入力されている映像信号に基づく映像の最大輝度をフレーム毎に検出し、検出した映像の最大輝度が低くなるにつれて、バックライトの輝度を下げていくことが提案されている。また、特許文献２では、時間経過にともなって、バックライトの輝度を下げていくくことが提案されている。さらに、特許文献３では、映像信号に基づく映像の輝度が高くなるにつれて、バックライトの輝度を下げることが提案されている。
【０００４】
また、省エネモードが選択されると、バックライトの輝度を予め設定されている輝度に下げる液晶表示装置もある。
【特許文献１】特開２００４−２４５８９６号公報
【特許文献２】特開２００３−１９５８３５号公報
【特許文献３】特開２００４−１７７５４７号公報
【発明の開示】
【発明が解決しようとする課題】
【０００５】
しかしながら、特許文献２に記載されている液晶表示装置は、時間経過にともなってバックライトの輝度を下げていく構成であるので、液晶パネルに表示されている映像が時間経過にともなって暗くなっていくのをユーザに感じさせてしまい、違和感を与えるという問題があった。また、省エネモードが選択されると、バックライトの輝度を予め設定されている輝度に下げる液晶表示装置でも同様にユーザに違和感を与えるという問題がある。
【０００６】
また、特許文献１、３に記載されている液晶表示装置は、入力されている映像信号に基づく映像の輝度に応じてバックライトの輝度を上げたり、下げたりする構成であるため、入力されている映像信号によっては、バックライトの輝度が殆ど下げられないことがあった。具体的には、特許文献１では、入力されている映像信号に基づく映像の殆どが最大輝度の高い映像である場合、バックライトの輝度が殆ど下げられることがない。また、特許文献３では、入力されている映像信号に基づく映像の殆どが輝度の低い映像である場合、バックライトの輝度が殆ど下げられることがない。したがって、バックライトの輝度が殆ど下げられることがない映像信号が入力されているときに、消費電力が殆ど低減されないという問題があった。
【０００７】
この発明の目的は、省エネモードが選択されているときに、バックライトの輝度が下がったことをユーザに感じさせることがなく、また消費電力を十分に低減することができる液晶表示装置を提供することにある。
【課題を解決するための手段】
【０００８】
この発明の液晶表示装置は、上記課題を解決するために以下の構成を備えている。
【０００９】
（１）液晶パネルを背面から照らすバックライトの輝度を制御する輝度制御手段と、
入力されている映像信号に基づく映像を前記液晶パネルに表示する表示手段と、を備えた液晶表示装置において、
消費電力を低減する省エネモードを選択するかどうかを切り換える切換手段と、
前記表示手段が前記液晶パネルに表示する、入力されている映像信号に基づく映像の輝度をフレーム毎に検出する検出手段と、を備え、
前記輝度制御手段は、前記切換手段が省エネモードを選択している場合に、前記検出手段により予め設定されている映像輝度値よりも低い映像が第１のフレーム数連続して検出されたとき、前記バックライトの輝度をその時点における輝度よりも一定量下げた輝度に制御する手段である。
【００１０】
この構成では、検出手段が入力されている映像信号に基づく映像の輝度をフレーム毎に検出する。テレビ放送等の映像信号には、１秒間に数十フレーム、例えば６０フレーム、の映像が含まれている。切換手段により省エネモードを選択されている場合、検出手段において予め設定されている映像輝度値よりも低い映像が第１のフレーム数連続して検出されると、輝度制御手段がバックライトの輝度を一定量下げる。映像輝度値は、視聴しているユーザが暗いと感じる映像の輝度の大きさ、例えば白ベタの映像に対して３０〜４０％程度の大きさ、に設定される。検出手段において予め設定されている映像輝度値よりも低い映像が第１のフレーム数連続して検出されるのは、ユーザが暗いと感じる映像が液晶パネルに表示されているときである。したがって、液晶パネルにユーザが暗いと感じる映像が表示されているときに、輝度制御手段がバックライトの輝度を一定量下げる。このように、ユーザが暗いと感じる映像を視聴しているときに、バックライトの輝度を一定量下げるので、ユーザにバックライトの輝度が下がったことを殆ど感じさせることがなく、違和感を与えるのを防止できる。また、液晶パネルに表示されている映像が、ユーザが暗いと感じる映像から明るいと感じる映像に換わっても、ユーザはこれまで暗いと感じる映像を視聴していたので、バックライトの輝度が下げられていることに気づかない。
【００１１】
また、映像輝度値よりも低い映像が第１のフレーム数連続して検出される毎にバックライトの輝度を一定量ずつ下げていくので、消費電力を十分に低減することができる
なお、バックライトの輝度を下げる一定量は、通常時（省エネモードが選択されていないとき）の数％、例えば１〜２％、にしておけば、ユーザにバックライトの輝度が下がったことを略確実に感じさせることがない。
【００１２】
（２）液晶パネルを背面から照らすバックライトの輝度を制御する輝度制御手段と、
入力されている映像信号に基づく映像を前記液晶パネルに表示する表示手段と、を備えた液晶表示装置において、
消費電力を低減する省エネモードを選択するかどうかを切り換える切換手段と、
前記表示手段が前記液晶パネルに表示する、入力されている映像信号に基づく映像の輝度をフレーム毎に検出する検出手段と、を備え、
前記輝度制御手段は、前記切換手段が省エネモードを選択している場合に、前記検出手段が第１の時間内にフレーム毎に検出された映像の輝度の平均値が、予め設定されている映像輝度値よりも低ければ、前記バックライトの輝度をその時点における輝度よりも一定量下げた輝度に制御する手段である。
【００１３】
この構成では、検出手段が入力されている映像信号に基づく映像の輝度をフレーム毎に検出する。テレビ放送等の映像信号には、１秒間に数十フレーム、例えば６０フレーム、の映像が含まれている。切換手段により省エネモードを選択されている場合、検出手段において第１の時間内にフレーム毎に検出された映像の輝度の平均値が予め設定されている映像輝度値よりも低くなると、輝度制御手段がバックライトの輝度を一定量下げる。映像輝度値は、視聴しているユーザが暗いと感じる映像の輝度の大きさ、例えば白ベタの映像に対して３０〜４０％程度の大きさ、に設定される。また、第１の時間は数秒、例えば１〜２秒、に設定される。第１の時間内にフレーム毎に検出された映像の輝度の平均値が予め設定されている映像輝度値よりも低くなるのは、上記（１）と同様に、ユーザが暗いと感じる映像が液晶パネルに表示されているときである。したがって、液晶パネルにユーザが暗いと感じる映像が表示されているときに、輝度制御手段がバックライトの輝度を一定量下げる。このように、ユーザが暗いと感じる映像を視聴しているときに、バックライトの輝度を一定量下げるので、ユーザにバックライトの輝度が下がったことを殆ど感じさせることがなく、違和感を与えるのを防止できる。また、液晶パネルに表示されている映像が、ユーザが暗いと感じる映像から明るいと感じる映像に換わっても、ユーザはこれまで暗いと感じる映像を視聴していたので、バックライトの輝度が下げられていることに気づかない。
【００１４】
また、第１の時間内にフレーム毎に検出された映像の輝度の平均値が予め設定されている映像輝度値よりも低くなる毎にバックライトの輝度を一定量ずつ下げていくので、消費電力を十分に低減することができる
なお、バックライトの輝度を下げる一定量は、通常時（省エネモードが選択されていないとき）の数％、例えば１〜２％、にしておけば、ユーザにバックライトの輝度が下がったことを略確実に感じさせることがない。
【００１５】
（３）前記輝度制御手段は、前記バックライトの輝度をその時点における輝度よりも一定量下げた輝度に制御した後、前記検出手段により前記映像輝度値よりも高い映像が第２のフレーム数連続して検出されるまで、または前記検出手段により第２の時間内にフレーム毎に検出された映像の輝度の平均値が前記映像輝度値よりも高くなるまで、前記バックライトの輝度を下げるのを禁止する。
【００１６】
この構成では、液晶パネルにユーザが暗いと感じる映像が表示されているときに、バックライト輝度を一定量下げると、液晶パネルにユーザが暗いと感じない映像が表示されるまで、バックライトの輝度をこれ以上下げるのを禁止する。したがって、ユーザが暗いと感じる映像が表示されている時間が長いときでも、この間に一定量しかバックライトの輝度を下げない。このため、バックライトの輝度が急激に下げられることがなく、ユーザにバックライトの輝度が下がったことを略確実に感じさせることがない。
【００１７】
（４）前記輝度制御手段は、前記バックライトの輝度が予め定められている下限値に達すると、前記バックライトの輝度をこれ以上下げるのを禁止する。
【００１８】
この構成では、バックライトの輝度を下げ過ぎて、液晶パネルに表示されている映像のコントラストを大幅に低下させ、視聴しているユーザに違和感を与えてしまうという事態を招くこともない。
【発明の効果】
【００１９】
この発明によれば、ユーザが暗いと感じる映像を視聴しているときに、バックライトの輝度を一定量下げるので、ユーザにバックライトの輝度が下がったことを殆ど感じさせることがなく、違和感を与えるのを防止できる。また、液晶パネルに表示されている映像が、ユーザが暗いと感じる映像から明るいと感じる映像に換わっても、ユーザはこれまで暗いと感じる映像を視聴していたので、バックライトの輝度が下げられていることに気づかない。また、バックライトの輝度を一定量ずつ下げていくので、消費電力を十分に低減することができる
【発明を実施するための最良の形態】
【００２０】
以下、この発明の実施形態である液晶表示装置を適用したテレビジョン受信装置について説明する。
【００２１】
図１は、この発明の実施形態である液晶表示装置を適用したテレビジョン受信装置の構成を示す図である。この実施形態のテレビジョン受信装置１は、本体の動作を制御する制御部２と、テレビ放送信号を受信し、選択されているチャンネルで放送されている番組の映像信号、および音声信号を抽出して出力する受信部３と、受信部３から出力された映像信号を処理する映像信号処理部４と、受信部３から出力された音声信号を処理する音声信号処理部５と、液晶パネル１１と、映像信号処理部４で処理された映像信号に基づいて液晶パネル１１の各画素の透過率を制御する液晶パネルドライバ６と、液晶パネル１１を背面から照らすバックライト１２と、このバックライト１２を点灯させるインバータ回路７と、インバータ回路７を制御してバックライト１２の輝度を制御する輝度制御部８と、本体に対する入力操作を行う操作部９と、音声信号処理部５で処理された音声信号に基づく音声を出力するスピーカ１３と、を備えている。この実施形態のテレビジョン受信装置１は、通常モードと、この通常モードよりも装置本体の消費電力を低減する省エネモードの２つのモードで動作する。通常モードと、省エネモードとの切り換えは、操作部９における入力操作で行える。省エネモードは、通常モードよりもバックライト１２の輝度を下げることで、消費電力を低減するモードである。
【００２２】
なお、制御部２は、装置本体の各部に対して動作指示が行えるように接続されている。
【００２３】
受信部３には、図示していないアンテナが接続されており、このアンテナで受信でされているテレビ放送信号が入力される。受信部３は、入力されているテレビ放送信号から、選択されているチャンネルで放送されている番組のテレビ放送信号を抽出するチューナ、チューナで抽出したテレビ放送信号を映像信号と音声信号に分離する信号分離回路を有している。映像信号処理部４は、受信部３から入力された映像信号に対して、液晶パネル１１で表示するための信号処理、例えばＡ／Ｄ変換、ガンマ変換、画素変換、インタレース・プログレッシブ変換（ＩＰ変換）等を行う。また、映像信号処理部４は、受信部３から入力された映像信号の映像の輝度をフレーム毎に検出する処理も行う。映像信号処理部４で処理された映像信号は液晶パネルドライバ６に入力される。また、映像信号処理部４がフレーム毎に検出した映像の輝度は輝度制御部８に入力される。液晶パネルドライバ６は、映像信号処理部４から入力された映像信号に基づいて、液晶パネル１１の各画素の透過率を制御する。
【００２４】
バックライト１２は、図２に示すように、光源である円筒状の冷陰極管１２ａと、この冷陰極管１２ａを覆う反射板１２ｂと、白色の合成樹脂であり発光面が液晶パネル１１の表示面と略同じ大きさの導光板１２ｃを有している。点灯させた冷陰極管１２ａから発せられた光は、反射板１２ｂにより反射されて導光板１２ｃの端面に導かれる。導光板１２ｃにおいて、端面より入射された光が面発光される。導光板１２ｃの発光面に対向して液晶パネル１１が配置されている。導光板１２ｃは、液晶パネル１１全体を背面から略均一な光で照らす。
【００２５】
輝度制御部８は、インバータ回路７に対してバックライト１２の輝度を指示する。輝度制御部８は、省エネモードが選択されているとき、映像信号処理部４がフレーム毎に検出した映像信号の映像の輝度を用いて、バックライト１２の輝度を決定し、ここで決定したバックライト１２の輝度をインバータ回路７に指示する。インバータ回路７は、ＰＷＭ制御でバックライト１２の輝度を輝度制御部８から指示された輝度に制御する。具体的には、冷陰極管１２ａに供給する電力を制御する。音声信号処理部５は、受信部３から入力された音声信号を処理し、スピーカ１３に入力する。操作部９には、ユーザが装置本体に対する入力操作を行うキーや、図示していないリモコン装置から送信されてきた装置本体に対する制御コマンドを受信するリモコン受信部を有している。テレビジョン受信装置１は、操作部９のキー操作、またはリモコン装置から送信されてきた制御コマンドに応じて、本体の動作を制御する。
【００２６】
この実施形態のテレビジョン受信装置１は、上述したように、動作モードとして、通常モードと省エネモードとを有している。通常モードは、バックライト１２の輝度を１００％に保持して動作するモードである。また、省エネモードはバックライト１２の輝度を通常モードよりも下げて、装置本体の消費電力を低減するモードである。テレビジョン受信装置１には、省エネモードにおけるバックライト１２の輝度の下限値が設定されている。例えば、通常モード時におけるバックライトの輝度の８０％を省エネモードにおけるバックライト１２の輝度の下限値に設定している。テレビジョン受信装置１は、装置本体の電源オン時に省エネモードが選択されていれば、バックライト１２の輝度を設定されている下限値にする。また、装置本体の電源がオンされているときに、通常モードから省エネモードに切り換えられると、バックライト１２の輝度を一気に下限値にするのではなく、予め定められている条件を満たす毎に、バックライト１２の輝度を一定量ずつ、例えば通常モード時におけるバックライト１２の輝度の数％（１〜２％）ずつ、段階的に下げていき、バックライト１２の輝度が設定されている下限値に達すると、この下限値で保持する（バックライト１２の輝度をこれ以上下げない。）。テレビジョン受信装置１は、比較的暗い映像が液晶パネル１１に表示されていると判断したときに、バックライト１２の輝度を一定量下げる。言い換えれば、比較的暗い映像が液晶パネル１１に表示されているかどうか判断するための条件が設定されている。この条件の詳細については後述する。
【００２７】
次に、この実施形態にかかるテレビジョン受信装置１の動作について説明する。図３は、この実施形態のテレビジョン受信装置におけるバックライトの輝度制御を示すフローチャートである。テレビジョン受信装置１は、装置本体の電源がオンされると、このバックライトの輝度制御を開始し、装置本体の電源がオフされたときに終了する。テレビジョン受信装置１は、装置本体の電源がオンされ、このバックライト１２の輝度制御を開始すると、まず装置本体が通常モードに設定されているか、省エネモードに設定されているかを判断する（ｓ１）。テレビジョン受信装置１は、前回の使用終了時に設定されていたモード（通常モード、または省エネモード）を記憶しており、この記憶しているモードを、今回の電源オン時に設定されているモードと判断する。具体的には、前回の電源オフ時に通常モードが選択されていれば、ｓ１で通常モードであると判断し、反対に、前回の電源オフ時に省エネモードが選択されていれば、ｓ１で省エネモードであると判断する。
【００２８】
テレビジョン受信装置１は、ｓ１で通常モードであると判断すると、バックライト１２の輝度を１００％に設定する（ｓ２）。一方、ｓ１で省エネモードであると判断するとバックライト１２の輝度を下限値、例えば通常モードの８０％、に設定する（ｓ３）。ｓ２、ｓ３では、制御部２が輝度制御部８に対して設定されているモードが通常モードであるか、省エネモードであるかを通知する。輝度制御部８は、制御部２から通知されたモードに応じたバックライト１２の輝度をインバータ回路７に指示する。インバータ回路７は、バックライト１２の輝度が輝度制御部８から通知された輝度になるように、冷陰極管１２ａに供給する電力をＰＷＭ制御で調整する。
【００２９】
このとき、受信部３では選択されているチャンネルのテレビ放送信号の受信が行われており、映像信号処理部４には受信部３から選択されているチャンネルで放送されている番組の映像信号が入力されている。映像信号処理部４は、受信部３から入力されている映像信号に対して液晶パネル１１で表示するための信号処理を行い、処理した映像信号を液晶パネルドライバ６に入力している。また、液晶パネルドライバ６は、映像信号処理部４から入力されている映像信号に基づいて液晶パネル１１の各画素の透過率を制御している。したがって、液晶パネル１１では、選択されているチャンネルで放送されている番組の映像が表示されている。映像信号処理部４は、受信部３から入力されている映像信号の映像について、１フレーム毎に輝度を検出する機能を有しているが、この時点ではこの機能を停止している。この時点では、入力されている映像信号の映像について、１フレーム毎に輝度を検出しても、これを利用する処理を行っていない。したがって、映像信号処理部４が、映像の輝度を１フレーム毎に検出しなくても何ら問題は生じない。また、この機能を停止していることにより映像信号処理部４の負荷が抑えられる。
【００３０】
また、音声信号処理部５は、受信部３から入力されている、選択されているチャンネルで放送されている番組の音声信号を処理し、スピーカ１３に入力している。したがって、スピーカ１３から選択されているチャンネルで放送されている番組の音声が出力されている。
【００３１】
テレビジョン受信装置１は、ｓ２でバックライト１２の輝度を１００％に設定すると、現在の通常モードから省エネモードに切り換える入力（モード切換にかかる入力）があるのを待つ（ｓ４）。テレビジョン受信装置１は、通常モードから省エネモードに切り換えるモード切換の入力があると、映像信号処理部４が入力されている映像信号の映像について、１フレーム毎に輝度を検出する処理を開始する（ｓ５）。モード切換にかかる入力は、操作部９に設けられたキー操作や、リモコン装置のキー操作により行える。ｓ５では、制御部２が映像信号処理部４に対して入力されている映像信号の映像について、１フレーム毎に輝度を検出する処理の開始を指示している。また、制御部２は、このときに輝度制御部８に対して通常モードから省エネモードに切り換わったことを通知している。
【００３２】
映像信号処理部４は、入力されている映像信号の映像について、１フレーム毎に検出した映像の輝度を輝度制御部８に入力している。映像信号処理部４は、入力されている映像信号の映像について、各画素の輝度の平均を、その映像の輝度として検出している。輝度制御部８は、映像信号処理部４から入力される１フレーム毎の映像の輝度を用いて、予め設定されている映像輝度値よりも低い映像が第１のフレーム数連続したか（ｓ６）、または予め設定されている第１の時間内にフレーム毎に検出された映像の輝度の平均値が予め設定されている映像輝度値よりも低いかどうか（ｓ７）、を判断する。テレビ放送等の映像信号には、１秒あたり数十フレーム、例えば６０フレーム、の映像が含まれている。映像輝度値は、多くのユーザが暗いと感じる映像の輝度の最大値、例えば白ベタの映像の輝度の３０〜４０％に設定されている。また、第１のフレーム数は、ユーザが液晶パネル１１に表示されている映像が暗い映像であると認識できる時間、例えば０．５〜１秒程度、に液晶パネル１１に表示される映像のフレーム数、例えば３０〜６０フレーム、に設定されている。また、第１の時間は、ユーザが液晶パネル１１に表示されている映像が暗い映像であると認識できる時間に設定されている。
【００３３】
なお、ｓ６、ｓ７における映像輝度値は、ここでは同じ値にしているが、異なる値に設定してもよい。
【００３４】
したがって、液晶パネル１１に表示されている映像が明るい映像（暗いと感じない映像）から暗い映像（暗いと感じる映像）に換わったことを、視聴しているユーザが認識するのと略同じときに、ｓ６で映像輝度値よりも低い映像が第１のフレーム数連続したと判断されたり、またはｓ７で第１の時間内に１フレーム毎に検出された映像の輝度の平均値が映像輝度値よりも低いと判断される。言い換えれば、ｓ６、ｓ７にかかる処理では、視聴しているユーザが液晶パネル１１に表示されている映像が明るい映像から暗い映像に換わったことを認識したかどうかを判断している。また、映像輝度値よりも低い映像の間に、映像輝度値よりも高い映像が数フレームあり、ｓ６で映像輝度値よりも低い映像が第１のフレーム数連続したと判断されないことがある。このとき、ユーザは液晶パネルに表示されている映像が明るい映像から暗い映像に換わったと認識している。この実施形態のテレビジョン受信装置１は、ｓ７にかかる処理を設けているので、このような場合でも、ユーザが液晶パネルに表示されている映像が明るい映像から暗い映像に換わったと認識したと判断できる。
【００３５】
輝度制御部８は、ｓ６で映像輝度値よりも低い映像が第１のフレーム数連続したと判断したり、またはｓ７で第１の時間内にフレーム毎に検出された映像の輝度の平均値が映像輝度値よりも低いと判断すると、インバータ回路７に対して設定しているバックライト１２の輝度を、その時点で設定している輝度よりも一定量下げた輝度に更新する（ｓ８）。ｓ８では、通常時のバックライト１２の輝度に対して数％、例えば１〜２％、下げた輝度に更新する。この更新により、インバータ回路７がバックライト１２の冷陰極管１２ａに供給する電力を調整し、バックライト１２の輝度を更新された輝度に制御する。
【００３６】
このバックライト１２の輝度が下げられたとき、液晶パネル１１には視聴しているユーザが比較的暗いと感じる映像が表示されているので、多くのユーザはバックライト１２の輝度が下げられたことに気づかない。したがって、ユーザにバックライトの輝度が下がったことを殆ど感じさせることがなく、違和感を与えることがない。
【００３７】
輝度制御部８は、ｓ８にかかる処理を完了すると、今回更新したバックライト１２の輝度が下限値、例えば通常時の８０％、であるかどうかを判断する（ｓ９）。輝度制御部８は、ｓ９で下限値であると判断すると、映像信号処理部４に対して、入力されている映像信号の映像について１フレーム毎に輝度を検出する処理の停止を指示し（ｓ１０）、ｓ１３にジャンプする。ｓ１３以降の処理については後述する。映像信号処理部４は、ｓ１０にかかる指示に基づいて、入力されている映像信号の映像について１フレーム毎に輝度を検出する処理を停止する。
【００３８】
また、輝度制御部８は、ｓ９で今回更新したバックライト１２の輝度が下限値でないと判断すると、１フレーム毎に映像信号処理部４から入力される映像の輝度を用いて、予め設定されている映像輝度値よりも高い映像が第２のフレーム数連続したか（ｓ１１）、または予め設定されている第２の時間内にフレーム毎に検出された映像の輝度の平均値が予め設定されている映像輝度値よりも高いかどうか（ｓ１２）、を判断する。ｓ１１、ｓ１２にかかる処理は、上述したｓ６、ｓ７にかかる処理と、実質的に同じ処理であるが、視聴しているユーザが液晶パネル１１に表示されている映像が暗い映像から明るい映像に換わったことを認識したかどうかを判断している（ｓ６、ｓ７にかかる処理と逆の判断をしている。）。第２のフレーム数は、ユーザが液晶パネル１１に表示されている映像が明るい映像であると認識できる時間に液晶パネル１１に表示される映像のフレーム数に設定され、第２の時間は、ユーザが液晶パネル１１に表示されている映像が明るい映像であると認識できる時間に設定されている。
【００３９】
なお、第２のフレーム数は第１のフレーム数と同じであってもよいし、異なっていてもよい。また、第２の時間も第１の時間と同じであってもよいし、異なっていてもよい。
【００４０】
輝度制御部８は、ｓ１１で映像輝度値よりも高い映像が第２のフレーム数連続した、または第２の時間内にフレーム毎に検出された映像の輝度の平均値が映像輝度値よりも高いと判断すると、ｓ６に戻って、上述した処理を繰り返す。すなわち、視聴しているユーザが液晶パネル１１に表示されている映像が暗い映像から明るい映像に換わったと認識すると、ｓ６に戻る。
【００４１】
このように、テレビジョン受信装置１は、ｓ６〜ｓ１２の処理を繰り返し、図４に示すようにバックライト１２の輝度を段階的に下げていく。図４（Ａ）はフレームごとに検出された映像信号の映像の輝度を示しており、図４（Ｂ）はバックライト１２の輝度を示しており、図４（Ｃ）は液晶パネル１１に表示されている映像の輝度を示している。また、ｓ１１、ｓ１２にかかる処理を設け、液晶パネル１１に表示されている映像が、視聴しているユーザが明るいと感じる映像から暗いと感じる映像に切り換わり、再度明るいと感じる映像に切り換わるまでの間に、バックライト１２の輝度が一定量しか下がらないように制御している。したがって、液晶パネル１１に表示されている映像が暗い映像から明るい映像に換わったときに、ユーザは直前まで暗い映像を視聴しており、またバックライト１２の輝度は前回明るい映像を視聴していたときよりも一定量しか下がっていないので、ユーザにバックライトの輝度が下がったことを殆ど感じさせることがなく、違和感を与えることがない。また、バックライト１２の輝度を段階的に下げていくので、装置本体の消費電力を確実に低減することができる。
【００４２】
また、省エネモードが選択されているときに、バックライト１２の輝度を下限値より低く設定することがないので、バックライト１２の輝度を下げ過ぎて、液晶パネル１１に表示されている映像のコントラストを大幅に低下させ、視聴しているユーザに違和感を与えてしまうという事態を招くこともない。
【００４３】
また、テレビジョン受信装置１は、ｓ３でバックライト１２の輝度を８０％に設定すると、現在の省エネモードから通常モードに切り換える入力（モード切換にかかる入力）があるのを待つ（ｓ１３）。テレビジョン受信装置１は、省エネモードから通常モードに切り換えるモード切換の入力があると、バックライト１２の輝度を１００％に設定し（ｓ１４）、ｓ４にジャンプする。
【００４４】
なお、図３では示していないが、ｓ６〜ｓ１２の処理を繰り返し実行しているときに、省エネモードから通常モードに切り換える入力があれば、ｓ１４にジャンプして、バックライト１２の輝度を１００％に設定し、その後、ｓ４以降の処理を行う。
【００４５】
また、図３にかかる処理は、装置本体の電源がオフされたときに終了する。このとき、装置本体に設定されていたモード、通常モードまたは省エネモードを、装置に設定されているモードとして記憶し、次回の電源オン時にはこの記憶したモードで動作を開始する。また、上記実施形態では、バックライト１２の輝度の下限値を通常時の８０％としたが、７０％や６０％等にしてもよい。
【００４６】
さらに、上記実施形態における制御部２と輝度制御部８とは、１つのマイコンで構成してもよい。
。
【図面の簡単な説明】
【００４７】
【図１】この発明の実施形態である液晶表示装置を適用したテレビジョン受信装置の構成を示す図である。
【図２】この発明の実施形態であるテレビジョン受信装置のバックライトの構成を示す図である。
【図３】この実施形態のテレビジョン受信装置におけるバックライトの輝度制御を示すフローチャートである。
【図４】省エネモード時におけるバックライトの輝度の変化を示す図である。
【符号の説明】
【００４８】
１−テレビジョン受信装置
２−制御部
３−受信部
４−映像信号処理部
５−音声信号処理部
６−液晶パネルドライバ
７−インバータ回路
８−輝度制御部
９−操作部
１１−液晶パネル
１２−バックライト
１２ａ−冷陰極管
１２ｂ−反射板
１２ｃ−導光板
【図１】
2006235540.tif 000003
【図２】
2006235540.tif 000004
【図３】
2006235540.tif 000005
【図４】
2006235540.tif 000006